(57)【要約】【課題】極めて簡単な構造で、容易且つ安価に、雨や風の内部への流入を防止し得る棟換気構造を構築できる棟換気構造を提供する。【解決手段】棟換気用制御部材１が屋根瓦取付部２によりシール部５を介して屋根瓦１４の凸形状部１４ａに取り付けられ、棟瓦１５が棟木１３に、棟瓦１５と制御部材１との間に隙間Ｗが形成されるように取り付けられる。室内よりの空気は、矢示Ｐ、Ｑ、制御部材１と棟瓦１５の内側との間、隙間Ｗを通過し、更に、矢示Ｒのように、棟瓦１５と屋根瓦１４の凹形状部１４ｂとの間の隙間を通過して排出される。外部からの雨は、２点鎖線での矢示Ｓの如く、制御部材１の裏面又は棟瓦１５の入口近辺の内側に衝突し、屋根瓦１４の凹形状部１４ｂを流下し、室内への流入が阻止される。【選択図】        図１９
2004169297.tif 000002
【特許請求の範囲】
【請求項１】
板状体の一端に屋根瓦取付部を有することを特徴とする棟換気用制御部材。
【請求項２】
板状体の他端に斜昇状の水返し部を有する請求項１記載の棟換気用制御部材。
【請求項３】
板状体の表面に水返し部を立設した請求項１又は２記載の棟換気用制御部材。
【請求項４】
屋根瓦取付部の裏面にシール部を設けた請求項１〜３のいずれか１項に記載の棟換気用制御部材。
【請求項５】
板状体の一端に棟瓦支承部を、他端に屋根瓦取付部を有し、その中間部に換気口を有することを特徴とする棟換気用制御部材。
【請求項６】
板状体の表面に水返し部を立設した請求項５記載の棟換気用制御部材。
【請求項７】
棟瓦支承部の表面にシール部を設けるとともに、屋根瓦取付部の裏面にシール部を設けた請求項５又は６記載の棟換気用制御部材。
【請求項８】
表面が波形等の凹凸形状からなる屋根瓦を対向させて配置し、前記屋根瓦を跨ぐように棟瓦を配置してなる棟構造において、前記棟瓦の内側の前記屋根瓦に、請求項１〜４のいずれか１項に記載の棟換気用制御部材の屋根瓦取付部を、該制御部材の他端と棟瓦内側との間に隙間Ｗが形成されるように取り付け、該隙間Ｗと、棟瓦の先端部と屋根瓦の凹形状部との間の隙間Ｄにより換気路を形成したことを特徴とする棟換気構造。
【請求項９】
表面が波形等の凹凸形状からなる屋根瓦を対向させて配置し、前記屋根瓦を跨ぐように棟瓦を配置してなる棟構造において、前記棟瓦より内側の前記屋根瓦に、請求項５〜７のいずれか１項に記載の棟換気用制御部材の屋根瓦取付部を取り付けるとともに、棟瓦支承部に棟瓦の先端部を支承し、前記棟換気用制御部材の換気口及び棟換気用制御部材の裏面と屋根瓦の凹形状部とで形成される隙間ｄにより換気路を形成したことを特徴とする棟換気構造。
【発明の詳細な説明】
【０００１】
【発明の属する技術分野】
本発明は、棟換気用制御部材及びこれを用いた棟換気構造に関し、更に詳しくは、簡単な構造で、容易且つ安価に、雨や風の内部への侵入を防止し得る棟換気用制御板及びこれを用いた棟換気構造に関する。
【０００２】
【従来の技術】
従来、棟換気構造としては、例えば、家屋の棟部頂上に敷設される棟瓦であって、下段に位置する瓦の略中央部に通気孔を有する矩形の突起（凸部）を設け、この瓦に重ねられる２段目に位置する瓦の前後両端の辺縁には、下段の瓦の矩形の突起（凸部）に係合する矩形の切欠（凹部）が形成され、この突起と切欠との係合により、重ねた上段の瓦が左右前後にずれるのを防止し、さらに、２段目の瓦の表面には階段状の突状が設けられ、３段目に重ねられる瓦との間に通気可能な間隙を生じせしめるように形成されている。そして、屋根裏に滞留する熱気や臭気等は、下段の瓦に設けられた通気孔及び２段目と３段目の瓦の間に形成された間隙を通して排出され換気を行うものである（特許文献１参照）。
【０００３】
また、他の従来の棟換気構造としては、図２３に示したものが提案されている。同図において、野地板、ルーフィング等の屋根下地材２５の上に設けられた桟木２５Ａに、一端が引っ掛かるようにして屋根瓦２６が敷設される。屋根下地材２５の頂上には室内空気が上昇気流となって通過するように棟開口部２７が設けられ、この棟開口部２７の上部には、棟木２８を支持すると共に室内空気を換気する棟木支持兼換気構造体２９が、その脚部３０によって屋根下地材２５に釘（図示せず）などによって固定されている。また、この棟木支持兼換気構造体２９には、空気が通過する換気孔３１Ａ、３１Ｂ、３１Ｃが穿設されている。
【０００４】
そして、棟瓦３２はパッキン付き固定ネジ３３によって棟木２８に固定される一方、棟瓦３２の傾斜下面に沿ってこの下面と通路を形成するように通路形成部材３４が配設され、その上端部３５は釘等（図示せず）によって棟木２８に固定される。また、下端部３６は密封部材として屋根瓦２６の上に適宜盛土した葺土３７に着接すると共に棟瓦３２の先端部３８に当接するように配設される。そして、通路形成部材３４にも空気が通過する換気孔３１Ｄ、３１Ｅが穿設される。このような構成において、熱気となって下から上昇してくる室内空気は矢示したように、棟開口部２７、各換気孔３１Ａ、３１Ｂ、３１Ｃ、３１Ｄ、３１Ｅを順次通って、最後は棟瓦の先端部３８を包みこむようにして外部に排出される。
【０００５】
【特許文献１】
特開平１１−１７２８５８号公報
【０００６】
【発明が解決しようとする課題】
しかしながら、上記した前者の換気用棟瓦にあっては、棟瓦の形状が積み重ねられる段毎に異なるため、複雑な形状なものを数種類備えておく必要があり、したがって、製造型の管理から完成品の保管管理が煩雑となるばかりでなく、施工工事が複雑で高価なものとなり、高級住宅に限定される傾向にある。また一般的に強度、素材コストの点から下段の瓦に設けられる矩形の突起や、この突起に嵌合する２段目の瓦の切欠等の大きさには限度があるため、突起に設けられる通気孔は自から小さいものとなり、従って換気量という観点からすれば、必ずしも十分と言えるものではなかった。
【０００７】
また、上述のような多重ねの換気用棟瓦を利用しない後者の棟換気構造においては、単純な山型形状の棟瓦３２の下に換気路を形成しているために、瓦素材とは異質の、例えば金属板製による通路形成部材３４が必要であり、その結果、構造、施工工事が複雑になり、いきおいコストアップとならざるを得ないという問題を包含していた。また、換気路を通して雨水が入り易く、たとえ室内に入らなくても屋根下地材を濡らし、腐らせたりして耐久性を低下させる恐れがあり、さらに、このような形態の棟換気構造では寄棟作りの屋根等の隅棟部分には雨水が入り易いことから適用しにくく、それだけ、換気量が低下するという課題があった。
【０００８】
本発明は、上記諸課題に鑑み、極めて簡単な構造で施工作業性に優れ、十分な換気量が得られ、雨や風の内部への侵入が効果的に防止され、また寄棟作りの屋根にも容易に適用出来る棟換気構造を安価に実現し得る棟換気用制御部材及びこれを用いた棟換気構造を提供することを目的とする。
【０００９】
【課題を解決するための手段】
本発明者は上記目的を達成するために、鋭意研究の結果、凹凸形状を有する屋根瓦の凹形状部を換気路として利用するとともに、特定の制御部材で雨や風の侵入を制御することにより、所期の目的が達成されることを見い出し、本発明に到達した。
【００１０】
即ち、本発明の請求項１に係る棟換気用制御部材は、板状体の一端に屋根瓦取付部を有することを特徴とする。
【００１１】
本発明の請求項２に係る棟換気用制御部材は、上記棟換気用制御部材において、板状体の他端に斜昇状の水返し部を有することを特徴とする。
【００１２】
本発明の請求項３に係る棟換気用制御部材は、上記棟換気用制御部材において、板状体の表面に水返し部を立設したことを特徴とする。
【００１３】
本発明の請求項４に係る棟換気用制御部材は、上記棟換気用制御部材において、屋根瓦取付部の裏面にシール部を設けたことを特徴とする。
【００１４】
本発明の請求項５に係る棟換気用制御部材は、上記棟換気用制御部材において、板状体の一端に棟瓦支承部を、他端に屋根瓦取付部を有し、その中間部に換気口を有することを特徴とする。
【００１５】
本発明の請求項６に係る棟換気用制御部材は、上記棟換気用制御部材において、板状体の表面に水返し部を立設したことを特徴とする。
【００１６】
本発明の請求項７に係る棟換気用制御部材は、上記棟換気用制御部材において、棟瓦支承部の表面にシール部を設けるとともに、屋根瓦取付部の裏面にシールを設けたことを特徴とする。
【００１７】
本発明の請求項８に係る棟換気構造は、表面が波形等の凹凸形状からなる屋根瓦を対向させて配置し、前記屋根瓦を跨ぐように棟瓦を配置してなる棟構造において、前記棟瓦の内側の前記屋根瓦に、請求項１〜４のいずれか１項に記載の棟換気用制御部材の屋根瓦取付部を、該制御部材の他端と棟瓦内側との間に隙間Ｗが形成されるように取り付け、該隙間Ｗと、棟瓦の先端部と屋根瓦の凹形状部との間の隙間Ｄにより換気路を形成したことを特徴とする。
【００１８】
本発明の請求項９に係る棟換気構造は、表面が波形等の凹凸形状からなる屋根瓦を対向させて配置し、前記屋根瓦を跨ぐように棟瓦を配置してなる棟構造において、前記棟瓦より内側の前記屋根瓦に、請求項５〜７のいずれか１項に記載の棟換気用制御部材の屋根瓦取付部を取り付けるとともに、棟瓦支承部に棟瓦の先端部を支承し、前記棟換気用制御部材の換気口及び棟換気用制御部材の裏面と屋根瓦の凹形状部とで形成される隙間ｄにより換気路を形成したことを特徴とする。
【００１９】
【発明の実施の形態】
本発明は、凹凸形状からなる屋根瓦に棟換気用制御板を取り付け、該凹形状部を換気路として利用するとともに、該換気路からの雨や風の流入を棟換気用制御板で制御することを特徴とする。
【００２０】
本発明の棟換気用制御板は特に制限されないが、例えば、アルミやステンレス、鋼板等の金属、プラスチック成形品等が好ましく、特にアルミの押出成形品が好ましい。
【００２１】
本発明に用いられるシール部は特に制限されないが、例えば、弾性やクッション性を有するゴム、エラストマー、ポリウレタンフォーム等が好ましく、シール部を予め棟換気用制御板の棟瓦取付部の表面と屋根瓦取付部の裏面にそれぞれ貼着等により設けておくことにより、該制御板を屋根瓦に取り付けたり、棟瓦の先端部に固定する際に、いちいちシール材を介設する手間が省けるので、作業性は大幅に向上する。もっとも、シール部は予め屋根瓦に貼着等により設けておくこともできる。また、シール部に代えて、又はシール部と併用して、硬化型のシーリング材やコーキング材を充填しながら施工することもできる。
【００２２】
本発明において、棟瓦、屋根瓦は特に制限されず、例えば、粘土、陶器、プレスセメント、コンクリート、金属、化粧スレート等の瓦材からなるものが例示される。
【００２３】
【実施例】
以下、本発明を実施例を示す図面に基づいて説明するが、本発明はかかる実施例のみに限定されるものではない。
【００２４】
実施例１
本実施例の棟換気用制御部材１は、図１に示すように、板状体の一端に屋根瓦取付部２（図では、ビス孔）が設けられている。
【００２５】
実施例２
本実施例の棟換気用制御部材１は、図２に示すように、板状体の一端には屋根瓦取付部２（図では、ビス孔）、他端には斜昇状の水返し部３が設けられている。水返し部３により、雨や風の内部への侵入が効果的に阻止される。
【００２６】
実施例３
本実施例の棟換気用制御部材１は、図３に示すように、板状体の一端に屋根瓦取付部２（図では、ビス孔）及び略垂直に水返し部４が設けられている。水返し部４により雨や風の内部への侵入が効果的に阻止される。
【００２７】
実施例４
本実施例の棟換気用制御部材１は、図４に示すように、板状体の一端に屋根瓦取付部２（図では、ビス孔）が設けられるとともに、板状体の略中央部に、他端の方向に斜傾した水返し部４が設けられている。水返し部４により雨や風の内部への侵入が効果的に阻止される。
【００２８】
実施例５
本実施例の棟換気用制御部材１は、図５に示すように、板状体の一端に屋根瓦取付部２（図では、ビス孔）が設けられるとともに、略垂直に水返し部４が設けられ、更に、他端に斜昇状の水返し部３が設けられている。万一、雨や風が第１の水返し部３を乗り越えて侵入しても、第２の水返し部４により一層効果的に阻止される。
【００２９】
実施例６〜１０
実施例１〜５の棟換気用制御部材１の屋根瓦取付部２の近辺の裏面にシール部５が設けられている他は、実施例１〜５の棟換気用制御部材と同じである。予めシール部が貼着されていることにより、制御部材１を屋根瓦に取り付ける際にシール材を介装する必要がなくなり、作業性が大巾に向上する。
【００３０】
実施例１１
本実施例の棟換気用制御部材１は、図１１に示すように、板状体の一端には棟瓦支承部６が、他端には屋根瓦取付部２（図では、ビス孔）が設けられ、その中間部に換気口７が設けられている。
棟瓦支承部６、換気口７、屋根瓦取付部２の寸法関係は特に制限されず、制御部材１が配置される場所、棟瓦や屋根瓦の大きさや形状、所望の換気量等により適宜決定すればよい。
【００３１】
実施例１２
本実施例の棟換気用制御部材１は、図１２に示すように、板状体の一端には棟瓦支承部６が、他端には屋根瓦取付部２（図では、ビス孔）と略垂直に水返し部４が設けられ、その中間部に換気口７が設けられている。水返し部４により、雨や風の内部への侵入が効果的に阻止される。
【００３２】
実施例１３
本実施例の棟換気用制御部材１は、図１３に示すように、板状体の一端には棟瓦支承部６が、他端には屋根瓦取付部２（図では、ビス孔）と棟瓦支承部６の方向に斜傾した水返し部４が設けられ、その中間部に換気口７が設けられている。水返し部４により、雨や風の内部への侵入が効果的に阻止される。
【００３３】
実施例１４
本実施例の棟換気用制御部材１は、図１４に示すように、板状体の一端には棟瓦支承部６が、他端には屋根瓦取付部２（図では、ビス孔）が設けられ、その中間部を隆起させて換気口７が設けられている。後記するように、隆起させた壁８が水返し部と同様の働きをし、雨や風の内部への侵入が効果的に阻止する。
【００３４】
実施例１５〜１８
実施例１１〜１４の棟換気用制御部材１の屋根瓦取付部２の近辺の裏面及び棟瓦支承部６の表面に、それぞれにシール部５ａ、５ｂが設けられている他は、実施例１１〜１４の棟換気用制御部材と同じである。予めシール部５ａ、５ｂが貼着されていることにより、制御部材１を屋根瓦に取り付ける際にシール材を介装する必要がなくなり、作業性が大巾に向上する。
尚、棟瓦支承部６の表面に設けるシール部５ｂは、後述の実施例２１（図２１）、実施例２２（図２２）に示すように、制御部材１を屋根瓦１４に取り付けると同時に、棟瓦１５の端部内側１５ｂと制御部材１の換気口７との間がシールされるように形状やサイズが設計されていることが好ましい。このように設計することにより、万一、換気口７より内部に雨が侵入したとしても内部に留ることがなく換気口７より屋根瓦１４の凹形状部１４ｂに排出される。
【００３５】
実施例１９
図１９は、実施例６（図６）に示した棟換気用制御部材１を両側に換気口を有する棟木受け具とともに用いた場合の棟換気構造を示す。
同図において、対向する屋根下地材１１の上部には棟木受け具１２がビス（図示せず）等により固定され、該棟木受け具１２に棟木１３がビス（図示せず）等により固定され、更に、棟木受け具１２の固定ベース上に表面が凹凸形状の屋根瓦１４が対向するように固定される。
【００３６】
次いで、棟換気用制御部材１が屋根瓦取付部２のビス孔にビス１９によりシール部５を介して屋根瓦１４（凸形状部１４ａ）に取り付けられる。尚、屋根下地材１１の防水シート、屋根瓦１４を固定するための桟木、屋根瓦１４の屋根下地材１１への取付ビス等は省略されている。
【００３７】
次いで、棟瓦１５が取付ビス１６により棟木１３に取り付けられるが、その際に、棟瓦１５の端部内側１５ｂと制御部材１の他端１ａとの間に適宜幅の隙間Ｗが形成されるように取り付けられる。この隙間Ｗは特に制限されないが、大き過ぎると外部から雨、風が侵入し易くなり、逆に小さ過ぎると換気しにくくなるので、通常１〜２ｃｍ程度が好ましい。
【００３８】
上記の如き棟換気構造において、室内より上昇してくる汚染空気、熱気あるいは湿気を帯びた空気は、矢示Ｐのように換気口１７を通過し、棟木受け具１２の両側の換気口１８で矢示Ｑのように左右に分流し、制御部材１と棟瓦１５の内側との間の換気路を通過し、棟瓦１５の端部内側１５ｂと制御部材１の他端１ａとの間の隙間Ｗからなる換気路を通過し、更に、矢示Ｒのように、棟瓦１５の先端部１５ａと屋根瓦１４の凹形状部１４ｂとの間の隙間Ｄからなる換気路を通過して外部に排出される。
【００３９】
そして、外部からの雨や風は、２点鎖線での矢示Ｓの如く、制御部材１の裏面又は棟瓦１５の入口近辺の内側に衝突し、屋根瓦１４の凹形状部１４ｂを流下して外部へ排出され、室内への流入が阻止される。
【００４０】
尚、上記において、両側に換気口を有する棟木受け具を用いた例を示したが、棟木受け具は一般に棟の長手方向に適当な間隔を置いて配設され、この間隙が換気口として機能するので、両側の換気口を有しない棟木受け具でも何ら差し支えない。
【００４１】
実施例２０
棟換気用制御部材１を実施例９（図９）に示したものに変更し、屋根瓦１４を屋根下地材１１に固定するために屋根瓦１４に穿設されている固定孔を利用して、取付ビス２０により制御部材１と屋根瓦１４とを同時に屋根下地材１１に取り付けた他は、実施例１９と同様である。本例においては、２点鎖線での矢示Ｓの如く、制御部材１の水返し部４により、雨や風の室内への流入が一層効果的に阻止される。
【００４２】
実施例２１
図２１は、実施例１６（図１６）に示した棟換気用制御部材１を用いた棟換気構造を示す。
同図において、対向する屋根下地材１１の上部には棟木受け具１２がビス（図示せず）等により固定され、該棟木受け具１２に棟木１３がビス（図示せず）等により固定され、更に、棟木受け具１２の固定ベース上に屋根瓦１４が対向するように固定される。
【００４３】
次いで、棟換気用制御部材１が屋根瓦取付部２（図ではビス）によりシール部５を介して屋根瓦１４の凸形状部１４ａに取り付けられる。
【００４４】
次いで、棟瓦１５が取付ビス１６により棟木１３に取り付けられるが、その際に、制御部材１の棟瓦支承部６に棟瓦１５の先端部１５ａがシール部５ｂを介して支承される。
【００４５】
上記の如き棟換気構造において、室内より上昇してくる汚染空気、熱気あるいは湿気を帯びた空気は、矢示Ｐのように換気口１７を通過し、棟木受け具１２の両側の換気口１８で矢示Ｑ１のように左右に分流し、制御部材１と棟瓦１５の内側との間の換気路を通過し、矢示Ｑ２のように、制御部材１の換気口７を通過し、更に、矢示Ｒのように、制御部材１の裏面と屋根瓦１４の凹形状部１４ｂとの間の隙間ｄからなる換気路を通過して外部に排出される。
【００４６】
そして、外部からの雨や風は、２点鎖線での矢示Ｓの如く、制御部材１の裏面又は棟瓦１５の入口近辺の内側に衝突し、また、換気口７より流入した雨や風は棟瓦１５の裏側に衝突し、該換気口７より屋根瓦１４の凹形状部１４ｂを流下し、室内への流入が阻止される。
【００４７】
実施例２２
棟換気用制御部材１を実施例１８（図１８）に示したものに変更し、屋根瓦１４を屋根下地材１１に固定するために屋根瓦１４に穿設されている固定孔を利用して、取付ビス２０により制御部材１と屋根瓦１４とを同時に屋根下地材１１に取り付けた他は、実施例２１と同様である。本例においては、外部からの雨や風は、２点鎖線での矢示Ｓの如く、制御部材１の裏面又は隆起した壁８に衝突し、屋根瓦１４の凹形状部１４ｂを流下し、室内への流入が阻止される。
【００４８】
以上の実施例において、棟木１３及び棟木受け具１２を使用した例について説明したが、本発明の棟換気構造は、かかる例に限定されず、棟木をプラスチック、アルミ等の他の部材に置き換えたり、棟木を用いない換気構造にも適用できることは云うまでもない。
【００４９】
【発明の効果】
叙上のように、本発明によれば、極めて簡単な構造で、容易且つ安価に、雨や風の内部への流入を防止し得る棟換気構造を構築することができる。
【図面の簡単な説明】
【図１】本発明の棟換気用制御部材の実施例を示す断面図である。
【図２】本発明の棟換気用制御部材の実施例を示す断面図である。
【図３】本発明の棟換気用制御部材の実施例を示す断面図である。
【図４】本発明の棟換気用制御部材の実施例を示す断面図である。
【図５】本発明の棟換気用制御部材の実施例を示す断面図である。
【図６】本発明の棟換気用制御部材の実施例を示す断面図である。
【図７】本発明の棟換気用制御部材の実施例を示す断面図である。
【図８】本発明の棟換気用制御部材の実施例を示す断面図である。
【図９】本発明の棟換気用制御部材の実施例を示す断面図である。
【図１０】本発明の棟換気用制御部材の実施例を示す断面図である。
【図１１】本発明の棟換気用制御部材の実施例を示す断面図である。
【図１２】本発明の棟換気用制御部材の実施例を示す断面図である。
【図１３】本発明の棟換気用制御部材の実施例を示す断面図である。
【図１４】本発明の棟換気用制御部材の実施例を示す断面図である。
【図１５】本発明の棟換気用制御部材の実施例を示す断面図である。
【図１６】本発明の棟換気用制御部材の実施例を示す断面図である。
【図１７】本発明の棟換気用制御部材の実施例を示す断面図である。
【図１８】本発明の棟換気用制御部材の実施例を示す断面図である。
【図１９】本発明の棟換気用制御部材を用いた棟換気構造の実施例を示す概略断面図である。
【図２０】本発明の棟換気用制御部材を用いた棟換気構造の実施例を示す概略断面図である。
【図２１】本発明の棟換気用制御部材を用いた棟換気構造の実施例を示す概略断面図である。
【図２２】本発明の棟換気用制御部材を用いた棟換気構造の実施例を示す概略断面図である。
【図２３】従来の棟換気構造を示す概略断面図である。
【符号の説明】
１    棟換気用制御部材
１ａ  他端
２  屋根瓦取付部
３、４  水返し部
５、５ａ、５ｂ  シール部
６  棟瓦支承部
７  換気口
８  壁
１１  屋根下地材
１２  棟木受け具
１３  棟木
１４  屋根瓦
１４ａ  凸形状部
１４ｂ  凹形状部
１５  棟瓦
１５ａ  棟瓦の先端部
１５ｂ  棟瓦の端部内側
１６  取付ビス
１７、１８  換気口
１９  ビス
２０  取付ビス
【図１】
2004169297.tif 000003
【図２】
2004169297.tif 000004
【図３】
2004169297.tif 000005
【図４】
2004169297.tif 000006
【図５】
2004169297.tif 000007
【図６】
2004169297.tif 000008
【図７】
2004169297.tif 000009
【図８】
2004169297.tif 000010
【図９】
2004169297.tif 000011
【図１０】
2004169297.tif 000012
【図１１】
2004169297.tif 000013
【図１２】
2004169297.tif 000014
【図１３】
2004169297.tif 000015
【図１４】
2004169297.tif 000016
【図１５】
2004169297.tif 000017
【図１６】
2004169297.tif 000018
【図１７】
2004169297.tif 000019
【図１８】
2004169297.tif 000020
【図１９】
2004169297.tif 000021
【図２０】
2004169297.tif 000022
【図２１】
2004169297.tif 000023
【図２２】
2004169297.tif 000024
【図２３】
2004169297.tif 000025